(57)【要約】  【課題】高圧機器を、冷蔵庫本体の天面に配設したときの冷蔵庫を静音化する。  【解決手段】冷蔵庫本体１を構成する第一の天面部２１と、冷蔵庫外箱背面１２側の前記第一の天面部２１より低い位置に設けた第二の天面部２２と、圧縮機１６を設置するためのベース２３とを備え、前記第一の天面部２１の両端でベース２３を支持する形で設け、ベース２３と第二の天面部２２の間のベース２３の下方空間部に圧縮機１６を天釣り状態で配設したものであり、圧縮機１６からの音の伝達及び振動伝播を抑制するとともに、振動伝播による音の発生を防止し、冷蔵庫の静音化を可能にできる。【選択図】図２
2005351508.tif 000002
【特許請求の範囲】
【請求項１】
冷蔵庫本体を構成する第一の天面部と、冷蔵庫外箱背面側の前記第一の天面部より低い位置に設けた第二の天面部と、圧縮機を設置するためのベースとを備え、前記第二の天面部の上方に前記ベースを配設し、前記ベースによって前記圧縮機の天面もしくは側面部が支持されることで、前記圧縮機が天釣り状態で前記ベースに搭載されている冷蔵庫。
【請求項２】
前記ベースは前記第一の天面部と係合される請求項１に記載の冷蔵庫。
【請求項３】
前記圧縮機と前記ベースとの間に緩衝材を設けた請求項１または２に記載の冷蔵庫。
【請求項４】
前記ベースと前記第一の天面部との間に緩衝材を設けた請求項１から３のいずれか一項に記載の冷蔵庫。
【請求項５】
圧縮機がシェル内でメカ・モータ部を下方より弾性支持されており、前記シェルの外側上部に圧縮機脚部を設け、前記圧縮機脚部がベースと係合することで冷蔵庫本体に保持されている請求項１から４のいずれか一項に記載の冷蔵庫。
【請求項６】
前記圧縮機を保持する圧縮機脚部を前記圧縮機の全高の概ね中央に配置した請求項１から４のいずれか一項に記載の冷蔵庫。
【発明の詳細な説明】
【技術分野】
【０００１】
本発明は防振、静音構造を施した低騒音化の冷蔵庫に関するものである。
【背景技術】
【０００２】
近年、冷蔵庫は地球環境保護の観点から更なる省エネルギー化が進むとともに、低騒音化が求められている。
【０００３】
従来のこの種の冷蔵庫は、最上部に配設された貯蔵室の上奥部の使用性の向上を図ることと、最下部に配設された貯蔵室の収納容積のアップを図る目的のために、冷蔵庫本体の上壁および背壁に渡る上壁後隅部を最上部の貯蔵室の上壁後部が下がるように窪ませた凹部を設け、その凹部に冷却ユニット、すなわち、音、振動を発生させる圧縮機やファン等の高圧機器を収納するという方法がとられていた（例えば、特許文献１参照）。
【０００４】
図７および図８は、特許文献１に記載された従来の冷蔵庫の構成を示すものである。
【０００５】
図７に示すように、冷蔵庫本体１は、上から順に、冷蔵室２、冷凍室３、野菜室４、を有し、冷蔵室２の前面開口には、回転可能にした冷蔵室扉５を設けている。また、冷凍室３は使用性と収納性を考慮して、その前面開口は上下２枚の冷凍室扉６にて閉塞されている。野菜室４も同様に使用性と収納性を考慮して、その前面開口は野菜室扉７にて閉塞されており、野菜室扉７の裏側には上面開口形状の野菜室容器８が取り付けられ、この容器８は図示しない前後方向のレールに対しローラにて前後方向へ移動可能に支持されている。このため、野菜室扉７を前方へ引き出すことによって野菜室容器８が前方へ引き出され、食品などの収納、取り出しが行える引き出し室を構成している。
【０００６】
また、蒸発器９により冷却された空気は、図示しないダクトを通って冷蔵室２、冷凍室３、野菜室４へそれぞれ循環され各部屋の冷却が行われる。
【０００７】
図８に示すように、凹部１０は、冷蔵庫本体１を構成する冷蔵庫外箱上面１１と冷蔵庫外箱背面１２に渡る上壁後隅部を最上部の貯蔵室である冷蔵室２の上壁後部が下がるように窪ませた箇所である。凹部１０はその左右が冷蔵庫本体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて冷蔵庫本体１に取り外し可能に固定されている。
【０００８】
圧縮機１６と凝縮器１７はそれぞれ冷凍ユニットの構成部品の一つであり、凝縮器１７は、機械室ファン１８の作用によって放熱される。
【０００９】
圧縮機１６と凝縮器１７は冷凍ユニットの高圧機器１９であり、機械室ファン１８と共に凹部１０内に配置され、凹部カバー１５にて覆われており、高圧機器１９の上端は凹部１０から突出しないように、冷蔵室外箱上面１１以下となるように設計されている。また、凹部カバー１５の上板１３と背板１４には、高圧機器１９の放熱のために複数の通風孔２０が設けられている。
【００１０】
凹部１０に高圧機器１９を収納し、最下部の貯蔵室である野菜室４の下奥隅部を奥行き深く構成することによって、冷蔵庫本体１の背面下部に高圧機器を収納する機械室を設けたものと比較して、引き出し室を構成する野菜室４の奥行きは深くなり野菜室４の内容積を大きくできる。また、高圧機器１９を冷蔵庫本体１の上部に配置しても、最下部の貯蔵室である野菜室４への収納重量の増加により、冷蔵庫本体１の重心が下がり安定化が図れる。
【特許文献１】特開２００１−９９５５２号公報
【発明の開示】
【発明が解決しようとする課題】
【００１１】
しかしながら、上記従来の構成では、冷蔵庫本体上部の凹部に冷却ユニットの高圧機器である圧縮機と凝縮器、またそれらを冷却する機械室ファンを収納するために音源が人の耳に近い高さにあることから音が気になるといった課題があった。
【００１２】
また、圧縮機の振動が冷蔵庫本体に伝播し、冷蔵庫本体から発生する振動音及び冷蔵庫本体から他の部品へ振動が伝播し、その部品（例えば、冷蔵庫内の食品収納棚）が振動することによる音が発生するといった課題があった。
【００１３】
本発明は、上記従来の課題を解決するもので、圧縮機や機械室ファンという音源を冷蔵庫の天面部に設置する冷蔵庫において、その音源から発生する騒音の抑制と、振動の伝播を抑制し、低騒音の冷蔵庫を提供することを目的とする。
【課題を解決するための手段】
【００１４】
上記従来の課題を解決するために、冷蔵庫本体を構成する第一の天面部と、冷蔵庫外箱背面側の前記第一の天面部より低い位置に設けた第二の天面部と、圧縮機を設置するためのベースとを備え、前記第二の天面部の上方に前記ベースを配設し、前記ベースによって前記圧縮機の天面もしくは側面部が支持されることで、前記圧縮機が天釣り状態で前記ベースに搭載されているものである。
【００１５】
これによって、圧縮機から発生した音が第二の天面部に伝達するのに、圧縮機と第二の天面部の間に空間が存在するため、遮音効果が得られる。
【００１６】
また、圧縮機から発生した振動がベース、第二の天面部に伝播するのに、圧縮機と第二の天面部に空間を設けているため、防振効果が得られる。
【発明の効果】
【００１７】
本発明の冷蔵庫は、圧縮機の振動を抑制するとともに、音の伝達及び振動の伝播を抑制し、冷蔵庫の低振動化、静音化が図れる。
【００１８】
また、圧縮機の熱を第二の天面部に直接伝えないため、冷蔵庫内への熱の進入を抑制し、消費電力量の低減にもつながる。
【発明を実施するための最良の形態】
【００１９】
請求項１に記載の発明は、冷蔵庫本体を構成する第一の天面部と、冷蔵庫外箱背面側の前記第一の天面部より低い位置に設けた第二の天面部と、圧縮機を設置するためのベースとを備え、前記第二の天面部の上方に前記ベースを配設し、前記ベースによって前記圧縮機の天面もしくは側面部が支持されることで、前記圧縮機が天釣り状態で前記ベースに搭載されていることにより、圧縮機と第二の天面部との間に空間ができ、冷蔵庫の音源である圧縮機からの音の伝達を抑制することが可能となり、静音化が図れる。
【００２０】
また、冷蔵庫の振動源である圧縮機からの振動伝播を圧縮機と第二の天面部との間の空間により抑制することができ、振動伝播による音の発生を防止することができる。
【００２１】
また、圧縮機等の高圧機器が放熱した熱を前記第二の天面部に直接伝えないため、冷蔵庫内への熱の進入を抑制し、消費電力量の低減にもつながる。
【００２２】
請求項２に記載の発明は、前記ベースは前記第一の天面部と係合されるものであり、橋渡しさせることによって凹部を塞ぐ左右壁の内向きへのたわみに対しての補強効果を得ることができる。
【００２３】
請求項３に記載の発明は、圧縮機とベースとの間に緩衝材を設けたものであり、緩衝材によって圧縮機からベースへと伝播する振動の減衰をすることができ、更なる冷蔵庫の低振動化が可能となり、振動減衰による低騒音化が可能となる。
【００２４】
請求項４に記載の発明は、ベースと第一の天面部との間に緩衝材を設けたものであり、緩衝材によって、圧縮機から第一の天面部への振動伝播の減衰をすることができ、更なる冷蔵庫の低騒音化が可能となる。
【００２５】
請求項５に記載の発明は、圧縮機がシェル内でメカ・モータ部を下方より弾性支持されており、前記シェルの外側上部に圧縮機脚部を設け、前記圧縮機脚部がベースと係合することで冷蔵庫本体に保持されているものであり、このことによってシェル内部のモータの揺れとシェル自体の揺れの支点が逆となり、互いに振動を打ち消しあうこととなるので、振動低減効果が得られる。また、冷蔵庫が大きく揺れる場合（例えば輸送時やドア開閉時）における圧縮機内部でメカ・モータ部がシェルにあたるなどの異音発生を防止できる。
【００２６】
請求項６に記載の発明は、圧縮機を保持する圧縮機脚部を圧縮機の概ね中央に配置したものであり、圧縮機の重心近傍で圧縮機を保持することによってベースへと伝わる振動を最小限に抑制できる。
【００２７】
（実施の形態１）
図１は本発明の実施の形態１における冷蔵庫の概略断面図、図２、図３、図４、図５、図６は、本発明の実施の形態１における冷蔵庫の機械室の概略図を示すものである。なお、背景技術と同一構成については同一符号を付す。
【００２８】
図１、図２において、比較的高温の区画である冷蔵室２は上方部に、比較的低温の区画である冷凍室３は下方部に配設されており、冷蔵室２および冷凍室３は例えばウレタンのような断熱材で周囲と断熱して構成されている。また、食品等の収納物の出し入れは図示しない断熱ドアを介して行われる。
【００２９】
冷蔵室２は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００３０】
冷凍室３は冷凍保存のために通常−２２〜−１８℃で設定されているが、保鮮性向上のためより低温の温度、例えば−３０〜−２５℃で設定されることもある。
【００３１】
冷蔵庫本体１の天面は第一の天面部２１と、冷蔵庫外箱背面１２側の第一の天面部２１より低い位置に設けた第二の天面部２２とで構成されている。
【００３２】
凝縮器１７は第一の天面部２１の上方空間部に配設されており、冷蔵庫本体１の上方の空気と熱交換する構成となっている場合もある。
【００３３】
圧縮機１６を保持するベース２３は第一の天面部２１の両端より支持される形で設け、ベース２３と第二の天面部２２との間のベース２３の下方空間部に圧縮機１６を天釣り状態で配設している。
【００３４】
また、圧縮機１６は例えばインバーターによる回転数制御で冷媒循環量を制御し冷凍能力を変化させることができる能力可変型としてある場合もある。
【００３５】
以上のように構成された冷蔵庫について、以下その動作、作用を説明する。
【００３６】
本実施の形態においては、第二の天面部２２と圧縮機１６との間に空間を設けることにより、圧縮機１６の動作により発生する音が空間部を通過する際に、音波の増幅を抑制して、遮音効果を得ることができる。
【００３７】
また、圧縮機１６の動作により発生する振動は、上下方向、左右方向、前後方向、回転方向と加速度的に発生するが、すべての方向に対して、一端ベース２３に伝播する。ベース２３に伝播した振動は他の部品へ振動を伝播しようとするが、ベース２３は第二の天面部２２と直接接触していないので、第二の天面部２２に直接伝播することはなく、振動によるビビリ音等の発生を抑制することができる。
【００３８】
また、従来は第二の天面部２２に直接圧縮機１６等の高圧機器１９を配設していたため、放熱による熱が第二の天面部２２に伝わりやすく、冷蔵室２内に大量の熱が侵入していたが、天釣り状態とすることで圧縮機１６と第二の天面部２２とが直接接触することなく、冷蔵室２内への熱の侵入を抑制し、消費電力量の低減ができる。
【００３９】
また、図３のように、圧縮機１６とベース２３との間に、スプリング、ゴム、熱可塑性樹脂（例えばエラストマー）のような衝撃等を吸収する弾性部材である緩衝材２４を設けることにより、圧縮機１６にて発生した振動がベース２３に伝播する際に、緩衝材２４による振動の吸収が実現し、振幅の抑制につながり、振動伝播による音の発生を更に抑制することができる。
【００４０】
また、図４のように、ベース２３と第一の天面部２１との空間部に、スプリング、ゴム、熱可塑性樹脂（例えばエラストマー）のような衝撃等を吸収する弾性部材である緩衝材２５を設けることで、ベース２３から第一の天面部２１への緩衝材２５による振動の吸収が実現し、振動伝播による音の発生を更に抑制することができる。
【００４１】
また、圧縮機１６とベース２３との間の緩衝材２４と、ベースと冷蔵庫本体との間の緩衝材２４とは弾性係数の異なったものを用いることで、幅広い周波数帯の騒音や振動を低減することができる。
【００４２】
また、図５のようにシェル２６内でメカ・モータ部２７を下方より弾性支持した圧縮機１６を圧縮機上部に設けた脚部２８によってベース２３に天釣り状態で配設することによって、シェル内部のモータの揺れとシェル自体の揺れの支点が逆となり、互いに振動を打ち消しあって、振動を低減する効果が得られる。さらに輸送時や、扉の開閉によりキャビネットが振動した場合に冷蔵庫上部のコンプレッサーの揺れに対してシェル内のメカ・モータ部のゆれを逆の支点で動作させることで抑制し、メカ・モータ部がシェルに内部であたるなどの異音発生を防止できる。
【００４３】
また、図６のように圧縮機脚部２８を圧縮機１６の概ね中央に配置することによって、圧縮機１６の重心近傍で圧縮機１６を支持することになり、ベース２３へと伝わる振動を最小限に抑制できる。
【産業上の利用可能性】
【００４４】
以上のように、本発明にかかる冷蔵庫は、圧縮機を上部に設置する冷蔵庫において、騒音、振動の低減が可能となるので、家庭用冷蔵庫のみならず、業務用冷蔵庫など圧縮機を使用する機器へと適用できる。
【図面の簡単な説明】
【００４５】
【図１】本発明の実施の形態１における冷蔵庫の断面図
【図２】本発明の実施の形態１における冷蔵庫の機械室の正面図
【図３】本発明の実施の形態１における冷蔵庫の機械室の正面図
【図４】本発明の実施の形態１における冷蔵庫の機械室の正面図
【図５】本発明の実施の形態１における冷蔵庫の機械室の正面図
【図６】本発明の実施の形態１における冷蔵庫の機械室の正面図
【図７】従来の冷蔵庫の断面図
【図８】従来の冷蔵庫の機械室の斜視図
【符号の説明】
【００４６】
１    冷蔵庫本体
１０  凹部
１２  冷蔵庫外箱背面
１６  圧縮機
２１  第一の天面部
２２  第二の天面部
２３  ベース
２４  緩衝材
２５  緩衝材
２６  シェル
２７  メカ・モータ部
２８  圧縮機脚部
【図１】
2005351508.tif 000003
【図２】
2005351508.tif 000004
【図３】
2005351508.tif 000005
【図４】
2005351508.tif 000006
【図５】
2005351508.tif 000007
【図６】
2005351508.tif 000008
【図７】
2005351508.tif 000009
【図８】
2005351508.tif 000010